(57)【要約】【課題】  PCからのインターフェースを使用して二次電池を充電できる周辺装置において、PCの駆動が二次電池であったとしても、インターフェースを使用して充電した場合でも、周辺装置より先にPCの電源が落ちることが無いようにする。【解決手段】  PCの駆動が二次電池駆動なのか商用電源なのかにより場合分けを行い、二次電池駆動であったとしても、周辺機器側でPCの二次電池の残量を監視することにより、周辺機器側にPCから電力を供給していた場合でも、周辺機器より先にPCの電源が落ちることが無いように、周辺機器の二次電池の残量を見極めながら、動作状態を変更する。【選択図】  図１
2009104536.tif 000002
【特許請求の範囲】
【請求項１】
パーソナルコンピュータと接続可能なインターフェース部を有する周辺装置において、電池からなり前記周辺装置に内蔵された各種回路へ供給する電力を蓄えた電力供給部と、前記電力供給部はAC電源から充電する手段と前記インターフェース部から充電する手段の両方の充電手段と、前記パーソナルコンピュータの形態情報を受け取る形態情報受領手段と、前記形態情報受領手段で受け取った情報を解析する解析手段と、前記電力供給部にAC電源が接続されていなかった場合で、前記解析手段で解析した結果、前記パーソナルコンピュータが前記インターフェースを通して周辺機器に対して電力を供給できる形態であり、前記パーソナルコンピュータの動作形態が二次電池駆動であった場合で、前記パーソナルコンピュータの電力残量が、一定レベル以上であった場合には、前記インターフェース部からの充電を行うことを特徴とする周辺装置。
【請求項２】
前記パーソナルコンピュータの動作形態が二次電池駆動でなかった場合には前記インターフェース部からの充電を行うことを特徴とする請求項1に記載の周辺装置。
【請求項３】
前記電力供給部は前記周辺装置がAC電源に接続されていた場合には、AC電源からの電力供給を受け、前記インターフェース部からの電力供給は受けないことを特徴とする請求項1、または、請求項２に記載の周辺装置。
【請求項４】
前記パーソナルコンピュータの電力残量が一定レベル以下であった場合には、前記インターフェース部からの充電は行わないことを特徴とする請求項１〜請求項３のいずれかに記載の周辺装置。
【請求項５】
前記充電手段で充電が行われておらず、前記電力供給部の残量を確認する残量確認手段であるレベル以下と判断された場合で、前記周辺機器が動作中で無かった場合には前記周辺機器の電源をOFFにする電源シャットダウン手段を有することを特徴とする請求項1〜請求項４のいずれかに記載の周辺装置。
【請求項６】
前記形態情報受領手段で受け取った情報を前記解析手段で解析した結果、前記パーソナルコンピュータが前記インターフェースを通して周辺機器に対して電力を供給できる形態であり、パーソナルコンピュータの動作形態が二次電池であり、前記周辺機器の電力があるレベル以下になった場合で、前記周辺機器が動作中であった場合には、動作が終了した時点で前記周辺機器の電源をOFFにする電源シャットダウン手段を有することを特徴とする請求項1〜請求項５のいずれかに記載の周辺装置。
【請求項７】
前記形態情報受領手段で受け取った情報を前記解析手段で解析した結果、前記パーソナルコンピュータが前記インターフェースを通して周辺機器に対して電力を供給できる形態であり、パーソナルコンピュータの動作形態が二次電池であり、前記周辺機器が動作中であり、前記周辺機器の電力のレベルが２段階レベルの低い方になった場合には、前記周辺機器の動作をすぐに終了してスタンバイ状態に戻し、前記シャットダウン手段により周辺機器の電源をOFFにすることを特徴とする請求項1〜請求項６のいずれかに記載の周辺装置。
【請求項８】
前記形態情報受領手段をPCにインストールしているプリンタドライバに有することを特徴とする請求項1〜請求項７のいずれかに記載の周辺装置。
【請求項９】
前記形態情報受領手段を周辺機器内部の制御部に有することを特徴とする請求項1〜請求項７のいずれかに記載の周辺装置。
【発明の詳細な説明】
【技術分野】
【０００１】
本発明はパーソナルコンピュータとインターフェースで接続されるACアダプタ、または、二次電池で駆動する周辺装置に関するものである。
【背景技術】
【０００２】
二次電池で駆動する周辺機器装置では、バッテリの消費により動作不可能な状態になることがありえる。動作が不可能な状態にしないために特開2002-111919号公報に開示された画像読取装置及び情報処理装置並びにそれらの制御方法では、情報処理装置と接続するケーブルからの電力供給により二次電池の充電の方法が記されている。また、特開2003-189488号公報に開示された端末装置、電子媒体、及び端末装置における電力供給方法では、自装置及び媒体への電力供給の方法について記されている。
【特許文献１】特開2002-111919号公報
【特許文献２】特開2003-189488号公報
【発明の開示】
【発明が解決しようとする課題】
【０００３】
しかしながら、上記公開特許公報に記載した二次電池を有する周辺機器装置では、以下のような問題がそれぞれあった。すなわち、特開2002-111919号公報に示された技術では、情報処理装置の状態によらず情報処理装置から電力を取ってしまうため、情報処理装置が二次電池駆動であった場合には周辺機器装置より先に情報処理装置の二次電池の容量を無くしてしまう。また、特開2003-189488号公報に示された技術では、情報処理装置側からの電力供給の許可の方法についてであり、周辺装置側での電力供給の方法についてではない。本発明は、上記の問題点を改善するためのものであり、その目的とするところは、二次電池で駆動している情報処理装置の電力の負荷を少なくし、周辺装置の二次電池を最後まで使用出来るようにすることである。
【課題を解決するための手段】
【０００４】
上記目的を達成するために、本発明の第一の側面によれば、パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段を有する。前記パーソナルコンピュータの形態情報を受け取る形態情報受領手段と、前記形態情報受領手段で受け取った情報を解析する解析手段を有する。前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が商用電源駆動であった場合には前記インターフェース部からの充電を行うことを特徴としている。前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が二次電池駆動であった場合でも、前記パーソナルコンピュータの二次電池の残量があるレベル以上で、前記周辺装置の電池が一定レベル以下であった場合には、動作中の場合は前記インターフェース部からの充電を行うことを特徴としている。パーソナルコンピュータの動作形態が二次電池であった場合で、前記パーソナルコンピュータの二次電池の残量があるレベル以下であった場合には、前記インターフェース部からの充電を行わず、周辺機器の二次電池の残量が一定レベル以下になった場合には、動作を終了し、シャットダウン手段により周辺機器の電源をOFFにすることを特徴としている。
【０００５】
本発明の第二の側面によれば、パーソナルコンピュータと接続可能なインターフェース部を有する周辺装置において、電池からなり前記周辺機器に内蔵された各種回路へ供給する電力を蓄えた電力供給部と、前記電力供給部はAC電源から充電する手段と前記インターフェース部から充電する手段の両方の充電手段を有する。前記パーソナルコンピュータの形態情報を受け取る形態情報受領手段と、前記形態情報受領手段で受け取った情報を解析する解析手段を有する。前記形態情報受領手段と前記解析手段はPCにインストールされているプリンタドライバ内にあることを特徴としている。前記電力供給部にAC電源が接続されていなかった場合で、前記解析手段で解析した結果、前記パーソナルコンピュータが前記インターフェースを通して周辺機器に対して電力を供給できる状態であり、前記パーソナルコンピュータの動作形態が商用電源駆動であった場合には前記インターフェース部からの充電を行うことを特徴としている。前記形態情報受領手段で受け取った情報を前記解析手段で解析した結果、前記パーソナルコンピュータが前記インターフェースを通して周辺機器に対して電力を供給できる状態であり、パーソナルコンピュータの動作形態が二次電池であった場合で、前記パーソナルコンピュータの二次電池の残量があるレベル以上で、前記周辺装置の電池がレベル１以下であった場合には、動作中の場合は前記インターフェース部からの充電を行うことを特徴としている。記形態情報受領手段で受け取った情報を前記解析手段で解析した結果、前記パーソナルコンピュータが前記インターフェースを通して周辺機器に対して電力を供給できる状態であり、パーソナルコンピュータの動作形態が二次電池であった場合で、前記パーソナルコンピュータの二次電池の残量があるレベル以上で、前記周辺装置の電池がレベル２以下であった場合には、動作中であった場合には動作を終了し、パーソナルコンピュータからの充電を止め、シャットダウン手段により周辺機器の電源をOFFにすることを特徴としている。パーソナルコンピュータの動作形態が二次電池であった場合で、前記パーソナルコンピュータの二次電池の残量があるレベル以下であった場合には、前記インターフェース部からの充電を行わず、周辺機器の二次電池の残量がレベル1以下になった場合には、動作を終了し、シャットダウン手段により周辺機器の電源をOFFにすることを特徴としている。
【発明の効果】
【０００６】
本発明の周辺装置によれば、パーソナルコンピュータとのインターフェースから電力の供給を受けることができる手段を有しており、周辺機器側でパーソナルコンピュータの電源形態を把握していることで、パーソナルコンピュータが二次電池駆動していた場合で、周辺機器側に電力を供給してもらっていたとしても、周辺機器より先にパーソナルコンピュータの電源が落ちることが無いようにでき、周辺機器の動作時間も最大限に長く出来る方法である。
【発明を実施するための最良の形態】
【０００７】
次に、本発明の詳細を実施例の記述に従って説明する。
【実施例１】
【０００８】
以下、図面を参照して本発明における一実施例を説明する。
【０００９】
図１は、本発明を適用した記録装置の概略構成を示すブロック図である。
【００１０】
１は記録装置全体を表しており、制御部２は、記録システム全体を制御するためのものである。制御部２には、制御部の頭脳であるCPU３、システムを動作させるためのプログラムを記憶してあるROM４、画像などの情報を一時的に記憶するRAM５、時間などを計時するタイマ６、印字ドット数やセンサのON/OFF回数をカウントするカウンタ７がある。プリンタI/F８はUSBやIEEE１３９４などのパーソナルコンピュータ（今後はPCと略す）と接続するためのものである。操作部９はスタート/ストップや記録枚数を変えるためのキー等を備え、オペレータの操作により状態を変化させ、表示部１０はLEDやLCD等により構成され、オペレータによる各種入力操作や、装置の動作状況、状態表示等を行う。プリンタ制御部１１はモータの制御や印字するためのヒートパルスの制御などを行っており、電源制御部１２は二次電池への充電制御や残量検知を行っている。
【００１１】
次に、図２は本発明の実施例１にかかる電源制御部１２の構成について示すブロック図である。
【００１２】
充電制御部２１は電源制御部内の充電する/しない、ACアダプタからの充電かUSB  I/FのVBusからの充電を行うかの切り換え等を制御している。ACアダプタ２８は記録装置に電源ライン３３で１２Vの電圧を供給しており、ACコード２９を介して商用電源（１００V）とACアダプタ２８を接続させている。USB  I/F３０はUSBコネクタを表しており、USBケーブル３１を使用してPCと接続させている。USB I/F３０と電源制御部１２を結んでいるライン３２はUSBにあるVBusを表しており、５Vの電力を供給することが出来る。接続検出部２２は記録装置１にACアダプタ２８が接続されている状態かを検出しており、切り換え部２３はACアダプタ２８からの電力で二次電池を充電するか、USB  I/F３０と接続しているVBusから二次電池を充電するかの切り替えを行い、満充電になっているときは両方ともに接続を行わない。昇圧回路２４はVBusの５Vを１２Vに変換するための回路である。充電器２５は二次電池への過電圧や過電流などをカットを行うところで、二次電池２６は記録装置にACアダプタ28が接続されていないときにも記録装置に電力を供給するためのもので、残量検出部２７は二次電池２６の残量を検出を行うところであり、整流回路３４はダイオードを使用した逆流防止用回路である。
【００１３】
次に、本発明の実施例１にかかる記録装置の状態の変化について、図３と図４のフローチャートを用いて説明する。
【００１４】
ステップＳ１０１で残量検出部２７で二次電池２６の残量を検出し、二次電池２６の充電状態を調べ、満充電であればステップＳ１０２に進み、充電制御部２１が二次電池２６への充電を行っているかを確認し、二次電池２６への充電を行っていないならばステップＳ１０１に戻る。ステップＳ１０２で二次電池２６への充電を行っているならば、ステップ１０３で、二次電池２６の充電を終了し、ステップＳ１０１に戻る。ステップＳ１０１で二次電池２６の充電状態が満充電でないならば、ステップＳ１０４で記録装置１がACアダプタ２８と接続しているかを接続検出部２２で調べ、接続されているときはステップＳ１０５に進み、ACアダプタ２８より二次電池２６への電力を使用して充電を行う。ステップＳ１０４でACアダプタ２８と接続していないならば、ステップＳ１０６で記録装置１がPCと接続されているかを制御部２で調べる。ステップＳ１０６で記録装置１がPCと接続していないならば、ステップＳ１０７に進み、二次電池２６の残量が一定レベル以下かを残量検出部２７で調べ、一定レベル以上であればステップＳ１０４に戻る。ステップＳ１０７で残量が一定レベル以下であったならば、ステップＳ１０８で記録装置１が動作中かを確認する。ステップＳ１０８で、動作中かを確認した結果、記録装置１が動作中であったならば、ステップＳ１０９ですぐに動作を終了して、インクカートリッジをキャッピングしてスタンバイ状態に戻し、ステップＳ１１０で記録装置１の電源を落としてシャットダウンを行う。ステップＳ１０８で記録装置１が動作中かを確認した結果、動作中でないならばインクカートリッジがすでにキャッピングされている状態なため、ステップＳ１１０でプリンタの電源を落としてシャットダウンを行う。ステップＳ１０６で記録装置１がPCと接続されているならば、ステップＳ１１１に進み、USB  I/F３０を介して制御部２とPCの間で情報のやり取りを行い、USB  I/F３０で接続されているホストが電力を供給できる状態かを確認する。ステップＳ１１１でPCから電力を供給できない状態（無線接続されている等）であるならばステップＳ１０７に進む。ステップＳ１１１で供給できる状態であるならば、ステップＳ１１２に進み、USB  I/F３０を介して制御部２とPCの間で情報のやり取りを行い、商用電源（１００V）から電力の供給を受けているならば、ステップＳ１１３に進み、二次電池２６へライン３２のVBusからの電力を使用して充電を行う。ステップＳ１１２で、PCが商用電源（１００V）と接続されていないときは、ステップＳ１１４で二次電池２６の残量が一定レベル以下かを残量検出部２７で確認する。ステップＳ１１４で一定レベル以上であったならば、ステップＳ１０４に戻る。ステップＳ１１４で一定レベル以下であったならば、ステップＳ１１５に進み、記録装置１が動作中かを確認する。ステップＳ１１５で記録装置１が動作中でないならば、インクカートリッジがすでにキャッピングされている状態なため、ステップＳ１１６で記録装置１の電源を落としてシャットダウンを行う。ステップＳ１１５で記録装置１が動作中であったならば、ステップＳ１１７に進み、USB  I/F３０を介して制御部２とPCの間で情報のやり取りを行い、PCのバッテリ容量がある一定以上かの確認を���う。ステップＳ１１７でPCのバッテリ容量がある一定以下であった場合は、ステップＳ１１８に進み、すぐに動作を終了して、インクカートリッジをキャッピングしてスタンバイ状態に戻し、二次電池２６へライン３２のVBusからの電力を使用して充電を行っていた場合には、この動作も止め、ステップＳ１１９で記録装置１の電源を落としてシャットダウンを行う。ステップＳ１１７でPCのバッテリ容量がある一定以上であった場合は、ステップＳ１２０に進み、二次電池２６へライン３２のVBusからの電力を使用して充電を行う。ステップＳ１２１で記録装置１の動作が終了したかを確認し、終了していないならばステップＳ１２２で記録装置１がACアダプタ２８と接続されたかを接続検出部２２で確認し、接続されていないならばステップＳ１１７に戻る。ステップＳ１２２でACアダプタ２８が接続されたならば、ステップＳ１２３で二次電池２６へライン３２のVBusからの電力を使用して充電するのを止め、ステップＳ１０４に戻る。ステップＳ１２１で記録装置１の動作が終了したならば、ステップＳ１２４で二次電池２６へライン３２のVBusからの電力を使用して充電するのを止め、ステップＳ１２５に進んで、記録装置１の電源を落としてシャットダウンを行う。
【実施例２】
【００１５】
次に、本発明の実施例２にかかる記録装置の状態の変化について、図５と図６のフローチャートを用いて説明する。
【００１６】
ステップＳ２０１で残量検出部２７で二次電池２６の残量を検出し、二次電池２６の充電状態を調べ、満充電であればステップＳ２０２に進み、充電制御部２１が二次電池２６への充電を行っているかを確認し、二次電池２６への充電を行っていないならばステップＳ２０１に戻る。ステップＳ２０２で二次電池２６への充電を行っているならば、ステップ２０３で、二次電池２６の充電を終了し、ステップＳ２０１に戻る。ステップＳ２０１で二次電池２６の充電状態が満充電でないならば、ステップＳ２０４で記録装置１がACアダプタ２８と接続しているかを接続検出部２２で調べ、接続されているときはステップＳ２０５に進み、ACアダプタ２８より二次電池２６への電力を使用して充電を行う。ステップＳ２０４でACアダプタ２８と接続していないならば、ステップＳ２０６で記録装置１がPCと接続されているかを制御部２で調べる。ステップＳ２０６で記録装置１がPCと接続していないならば、ステップＳ２０７に進み、二次電池２６の残量が一定レベル以下かを残量検出部２７で調べ、一定レベル以上であればステップＳ２０４に戻る。ステップＳ２０７で残量が一定レベル以下であったならば、ステップＳ２０８で記録装置１が動作中かを確認する。ステップＳ２０８で、動作中かを確認した結果、記録装置１が動作中であったならば、ステップＳ２０９ですぐに動作を終了して、インクカートリッジをキャッピングしてスタンバイ状態に戻し、ステップＳ２１０で記録装置１の電源を落としてシャットダウンを行う。ステップＳ２０８で記録装置１が動作中かを確認した結果、動作中でないならばインクカートリッジがすでにキャッピングされている状態なため、ステップＳ２１０でプリンタの電源を落としてシャットダウンを行う。ステップＳ２０６で記録装置１がPCと接続されているならば、ステップＳ２１１に進み、PCと記録装置１の情報のやり取りを行うために、PCにインストールされているプリンタドライバを使用し、PCの形態についての情報を抽出する。ステップＳ２１２で、PCから電力を供給できない状態（無線接続されている等）であるならばステップＳ２０７に進む。ステップＳ２１２で、PCから電力を供給できる状態であるならば、ステップＳ２１３に進み、プリンタドライバで抽出したPCの情報より、PCが商用電源（１００V）から電力の供給を受けているならば、ステップＳ２１４に進み、二次電池２６へライン３２のVBusからの電力を使用して充電を行う。ステップＳ２１３で、PCが商用電源（１００V）と接続されていないときは、ステップＳ２１５で二次電池２６の残量がレベル１以下かを残量検出部２７で確認する。ステップＳ２１５でレベル１以上であったならば、ステップＳ２０４に戻る。ステップＳ２１５でレベル１以下であったならば、ステップＳ２１６に進み、記録装置１が動作中かを確認する。ステップＳ２１６で記録装置１が動作中でないならば、インクカートリッジがすでにキャッピングされている状態なため、ステップＳ２１７で記録装置１の電源を落としてシャットダウンを行う。ステップＳ２１６で記録装置１が動作中であったならば、ステップＳ２１８に進み、プリンタドライバで抽出したPCの情報より、PCのバッテリ容量がある一定以上かの確認を行う（この確認につ���てはプリンタドライバ内で行う）。ステップＳ２１８でPCのバッテリ容量がある一定以下であった場合は、ステップＳ２１９に進み、すぐに動作を終了し、二次電池２６へライン３２のVBusからの電力を使用して充電を行っていた場合には、この動作も止め、インクカートリッジをキャッピングしてスタンバイ状態に戻し、ステップＳ２２０で記録装置１の電源を落としてシャットダウンを行う。ステップＳ２１８でPCのバッテリ容量がある一定以上であった場合は、ステップＳ２２１に進み、二次電池２６へライン３２のVBusからの電力を使用して充電を行う。ステップＳ２２２で記録装置１の動作が終了したかを確認し、記録装置１の動作が終了したならば、ステップＳ２２３で二次電池２６へライン３２のVBusからの電力を使用して充電するのを止め、ステップＳ２２４に進んで、記録装置１の電源を落としてシャットダウンを行う。ステップＳ２２２で、記録装置１の動作が終了していないならばステップＳ２２５に進み、二次電池２６の残量がレベル２以下かを残量検出部２７で確認する。ここでレベル２とレベル１にはレベル２＜レベル１の関係がある。二次電池２６の残量がレベル２以上ならば、ステップＳ２０４に戻る。ステップＳ２２５で、二次電池２６の残量がレベル２以下ならば、ステップＳ２２６で、すぐに動作を終了し、インクカートリッジをキャッピングしてスタンバイ状態に戻し、ステップＳ２２７で、二次電池２６へライン３２のVBusからの電力を使用して充電するのを止め、ステップＳ２２８で、記録装置１の電源を落としてシャットダウンを行う。
【図面の簡単な説明】
【００１７】
【図１】本発明を適用した記録装置の概略構成を示すブロック図
【図２】本発明の実施例１にかかる電源制御部12の構成について示すブロック図
【図３】本発明の実施例１にかかる記録装置の状態の変化を示すフローチャート
【図４】本発明の実施例１にかかる記録装置の状態の変化を示すフローチャート
【図５】本発明の実施例２にかかる記録装置の状態の変化を示すフローチャート
【図６】本発明の実施例２にかかる記録装置の状態の変化を示すフローチャート
【符号の説明】
【００１８】
1  記録装置（プリンタ）
2  制御部
11  プリンタ制御部
12  電源制御部
21  充電制御部
22  接続検出部
23  切り換え部
26  二次電池
27  残量検出部
28  アダプタ
30  USB  I/F
【図１】
2009104536.tif 000003
【図２】
2009104536.tif 000004
【図３】
2009104536.tif 000005
【図４】
2009104536.tif 000006
【図５】
2009104536.tif 000007
【図６】
2009104536.tif 000008